(57)【要約】【課題】プレート流路中の生体試料を遠心力によって各チャンバーに移動させ、化学反応させた際に得られる電気信号を検出して、前記生体試料の分析を行う生体試料分析装置において、プレートと、装置電極との精度良い位置合わせを可能とし、正確な結果が得られる構成を提供する。【解決手段】生体試料を各チャンバーに移動させる高速回転時、プレート２と、電極８とを位置合わせする低速回転時、電気信号を検出する電気化学測定時において、それぞれ昇降ユニット５０の高さ位置を変える構成とし、高速回転モータ５および低速回転モータ６がプレート２を回転させる軸を、同一にすることにより、プレート２と、電極８との精度良い位置合わせを行うことができる。【選択図】図１
2008209263.tif 000002
【特許請求の範囲】
【請求項１】
生体試料を化学反応させた際に得られる電気信号を検出して、前記生体試料の分析を行う生体試料分析装置において、
前記生体試料が注入されるプレートと、
前記プレートを高速回転させる高速回転モータと、
前記プレートを低速回転させる低速回転モータと、を備え、
前記高速回転モータは、その駆動軸を介して、前記プレートを回転させ、
前記低速回転モータは、該低速回転モータの動力を前記高速回転モータの駆動軸に伝える伝達機構と、前記高速回転モータの駆動軸とを介して、前記プレートを回転させる、
ことを特徴とする生体試料分析装置。
【請求項２】
請求項１に記載の生体試料分析装置において、
前記プレートを上方または下方へ移動させる昇降ユニットと、
前記プレートに注入された生体試料を電気化学測定する検出ユニットと、を備え、
前記検出ユニットは、前記プレートに注入された生体試料に対し電圧を印加する電極を具備し、前記昇降ユニットが上方または下方への移動をすることにより、前記プレートと、前記電極とが接続されて、電気化学測定を行い、
前記伝達機構は、前記昇降ユニットが上方または下方への移動をしたのちに、前記低速回転モータの駆動軸と、前記高速回転モータの駆動軸とを接続させ、前記低速回転モータの動力を前記高速回転モータの駆動軸に伝える、
ことを特徴とする生体試料分析装置。
【請求項３】
請求項２に記載の生体試料分析装置において、
前記伝達機構は、かさ歯車であり、
前記低速回転モータは、その駆動軸が前記高速回転モータの駆動軸と垂直に設けられ、
前記昇降ユニットが上方または下方への移動をしたのちに、前記低速回転モータの駆動軸と、前記高速回転モータの駆動軸とが前記かさ歯車により接続される、
ことを特徴とする生体試料分析装置。
【請求項４】
請求項２に記載の生体試料分析装置において、
前記伝達機構は、フランジ付カラーであり、
前記低速回転モータは、その駆動軸が前記高速回転モータの駆動軸と垂直に設けられ、
前記昇降ユニットが上方または下方への移動をしたのちに、前記低速回転モータの駆動軸と、前記高速回転モータの駆動軸とが前記フランジ付カラーにより接続される、
ことを特徴とする生体試料分析装置。
【請求項５】
請求項４に記載の生体試料分析装置において、
前記フランジ付カラーの一方はゴム材料、他方は金属材料または樹脂材料からなる、
ことを特徴とする生体試料分析装置。
【請求項６】
請求項２に記載の生体試料分析装置において、
前記伝達機構は、平歯車であり、
前記低速回転モータは、その駆動軸が前記高速回転モータの駆動軸と平行に設けられ、
前記昇降ユニットが上方または下方への移動をしたのちに、前記昇降ユニットの高さが、前記低速回転モータの低速回転位置にあるときのみ、前記低速回転モータの駆動軸と、前記高速回転モータの駆動軸とが前記平歯車により接続される、
ことを特徴とする生体試料分析装置。
【発明の詳細な説明】
【技術分野】
【０００１】
本発明は、医療機関において血液などの生体試料を分析する医療用検査装置に関するものであり、特に、生体試料を化学反応させた際に得られる電気信号を検出する電気化学測定を行い、前記生体試料の分析をする生体試料分析装置に関するものである。
【背景技術】
【０００２】
臨床診断の分野においては、被検者から採取した血液、血漿、血清、尿などの被検査溶液中の成分の濃度等を測定し、医師はその結果を基に診断を行っている。
【０００３】
これに用いられる分析装置には、臨床検査室などで用いられる大型機と、ベッドサイドなど、被検者のすぐそばで診断結果を得られる、いわゆるＰＯＣＴ（ＰＯＩＮＴ  ＯＦ  ＣＡＲＥ  ＴＥＳＴＩＮＧ）用途で用いられる小型機がある。
【０００４】
小型分析装置であるＰＯＣＴ機器は、診断結果がその場で得られ、検査費用も安価であり、簡単な前処理と、装置への挿入のみで測定を行うことができる。
【０００５】
ここで、前記ＰＯＣＴ機器の形態の一つとして、プレートを用いてＳＮＰｓ（ＳＩＮＧＬＥ  ＮＵＣＬＥＯＴＩＤＥ  ＰＯＬＹＭＯＲＰＨＩＳＭの略で「１塩基多型」と一般に訳されており、遺伝子における１暗号（１塩基）の違いの総称である）を解析する装置について、図１０を用いて説明する。
【０００６】
図１０に示されるＳＮＰｓ解析装置１０１は、上下動モータ１２が内蔵され、該上下動モータ１２により上下移動する昇降ユニット５０と、プレート２に形成された流路（図示せず）に遠心力を用いて緩衝剤を充填し、さらに生体試料を定量して添加するための高速回転モータ５を含む充填ユニット５４と、前記緩衝剤中を移動する前記生体試料の蛍光度、あるいは吸光度を検出する光学検出部１３と、プレート２に対して加圧を行う加圧ポンプ１４と、前記生体試料の電気泳動を行う２本の電極８と、前記プレート２と前記電極８の位置合わせを行うために天井板１５を低速回転させる低速回転モータ６を含む検出ユニット５１と、装置内温度を制御するための温度制御ユニット５３と、該解析装置の動作を制御する制御基板５２とを備える。
【０００７】
図１０に示すＳＮＰｓ解析装置１０１において、測定を行う際、まず、緩衝剤と生体試料をプレート２に形成されたそれぞれの注入口から注入する。
【０００８】
プレート２は、高速回転モータ５により高速回転することで、前記緩衝剤を流路中に充填させると共に、前記加圧ポンプ１４により加圧することで、前記生体試料を流路（図示せず）中に充填し、さらに高速回転することで前記生体試料を定量化して前記緩衝剤中に添加する。
【０００９】
その後、前記検出ユニット５１が、低速回転モータ６により低速回転で所定の位置まで回転し、上下動モータ１２により昇降ユニット５０が上昇することで、前記プレート２と前記電極８とが接続され、電気泳動による前記生体試料の解析が行われる。
【特許文献１】国際公開第２００５／０６４３３９号パンフレット
【発明の開示】
【発明が解決しようとする課題】
【００１０】
しかしながら、前記ＳＮＰｓ解析装置１０１において、高速回転モータ５により駆動させる軸と、低速回転モータ６により駆動させる軸とはそれぞれ異なり、２本の駆動軸にズレが生じた場合、プレート２と電極８との位置合わせに多大な影響を与え、プレート２と電極８とが正確に接続しないという課題を有していた。
【００１１】
本発明は、前記のような従来の問題点に鑑みてなされたもので、プレートを回転させる駆動軸を１本にすることで、プレートと電極との位置合わせを確実にし、正確な分析結果を得られる生体試料分析装置を提供することを目的としている。
【課題を解決するための手段】
【００１２】
前記課題を解決するために、本発明の請求項１に係る生体試料分析装置は、生体試料を化学反応させた際に得られる電気信号を検出して、前記生体試料の分析を行う生体試料分析装置において、前記生体試料が注入されるプレートと、前記プレートを高速回転させる高速回転モータと、前記プレートを低速回転させる低速回転モータとを備え、前記高速回転モータは、その駆動軸を介して、前記プレートを回転させ、前記低速回転モータは、該低速回転モータの動力を前記高速回転モータの駆動軸に伝える伝達機構と、前記高速回転モータの駆動軸とを介して、前記プレートを回転させることを特徴とする。
【００１３】
これにより、本発明の生体試料分析装置では、高速回転モータによるプレートの回転と、低速回転モータによるプレートの回転とを、１つの駆動軸により行うことができるため、プレートと、電極との位置合わせが確実にでき、生体試料の正確な分析結果を得ることができる。
【００１４】
また、本発明の請求項２に係る生体試料分析装置は、前記生体試料分析装置において、前記プレートを上方または下方へ移動させる昇降ユニットと、前記プレートに注入された生体試料を電気化学測定する検出ユニットとを備え、前記検出ユニットは、前記プレートに注入された生体試料に対し電圧を印加する電極を具備し、前記昇降ユニットが上方または下方への移動をすることにより、前記プレートと、前記電極とが接続されて、電気化学測定を行い、前記伝達機構は、前記昇降ユニットが上方または下方への移動をしたのちに、前記低速回転モータの駆動軸と、前記高速回転モータの駆動軸とを接続させ、前記低速回転モータの動力を前記高速回転モータの駆動軸に伝えることを特徴とする。
【００１５】
これにより、本発明の生体試料分析装置では、高速回転時、低速回転時、電気化学測定時のそれぞれの状態に応じて、昇降ユニットが上方または下方に移動し、低速回転時には、伝達機構を介した、低速回転モータの駆動軸と、高速回転モータの駆動軸との接続を行うことができ、プレートを低速回転させることができる
【００１６】
さらに、本発明の請求項３に係る生体試料分析装置は、前記生体試料分析装置において、前記伝達機構は、かさ歯車であり、前記低速回転モータは、その駆動軸が前記高速回転モータの駆動軸と垂直に設けられ、前記昇降ユニットが上方または下方への移動をしたのちに、前記低速回転モータの駆動軸と、前記高速回転モータの駆動軸とが前記かさ歯車により接続されることを特徴とする。
【００１７】
これにより、低速回転モータ側のかさ歯車と、高速回転モータの駆動軸側のかさ歯車とが接続され、低速回転モータの動力を確実に高速回転モータの駆動軸に伝え、プレートを回転させることができる。
【００１８】
さらに、本発明の請求項４に係る生体試料分析装置は、前記生体試料分析装置において、前記伝達機構は、フランジ付カラーであり、前記低速回転モータは、その駆動軸が前記高速回転モータの駆動軸と垂直に設けられ、前記昇降ユニットが上方または下方への移動をしたのちに、前記低速回転モータの駆動軸と、前記高速回転モータの駆動軸とが前記フランジ付カラーにより接続されることを特徴とする。
【００１９】
これにより、低速回転モータの動力が、伝達機構のフランジ付カラーを介して、確実に高速回転モータの駆動軸に伝わり、プレートを回転させることができ、さらにプレートが回転する際のガタを軽減し、前記プレートと、前記電極との位置合わせ精度を向上させることができる。
【００２０】
さらに、本発明の請求項５に係る生体試料分析装置は、前記生体試料分析装置において、前記フランジ付カラーの一方はゴム材料、他方は金属材料または樹脂材料からなることを特徴とする。
【００２１】
これにより、前記プレートと、前記電極との位置合わせ精度をさらに向上させることができる。
【００２２】
さらに、本発明の請求項６に係る生体試料分析装置は、前記生体試料分析装置において、前記伝達機構は、平歯車であり、前記低速回転モータは、その駆動軸が前記高速回転モータの駆動軸と平行に設けられ、前記昇降ユニットが上方または下方への移動をしたのちに、前記昇降ユニットの高さが、前記低速回転モータの低速回転位置にあるときのみ、前記低速回転モータの駆動軸と、前記高速回転モータの駆動軸とが前記平歯車により接続されることを特徴とする。
【００２３】
これにより、低速回転モータの動力が、伝達機構の平歯車を介して、確実に高速回転モータの駆動軸に伝わり、プレートを回転させることができ、さらに高速回転時、および電気化学測定時に、誤って低速回転モータが作動しても、該低速回転モータの動力は高速回転モータの駆動軸に伝わらず、プレートの誤動作を防止することができる。
【発明の効果】
【００２４】
本発明の生体試料分析装置によれば、高速回転モータ、および低速回転モータからの動力を伝達し、プレートを回転させる駆動軸を１本のみとする構成にしたので、プレートと、電極との位置合わせのときに生じる誤差を抑えることができ、その結果、プレートと、電極とを確実に接続し、正確な分析結果を得ることができる。
【００２５】
また、昇降ユニットの上方または下方への移動により、プレートの高速回転時は、低速回転モータの駆動軸と、高速回転モータの駆動軸とが接続されない構成としたので、誤って低速回転モータが作動しても、プレート回転の誤動作を防止することができる。
【発明を実施するための最良の形態】
【００２６】
以下に、本発明の実施の形態を図面により詳細に説明する。
（実施の形態１）
図１は、本実施の形態１における生体試料分析装置１００ａの構成図である。
【００２７】
図１に示すように、本実施の形態１における生体試料分析装置１００ａは、アクチュエータ１が備えられ、前記アクチュエータ１により上方または下方へ移動する昇降ユニット５０と、プレート２に対して電圧を印加し、電気化学測定を行う検出ユニット５１と、本装置１００ａ内の温度を制御するための温度制御ユニット５３と、本装置１００ａの動作を制御する制御基板５２とを備える。
【００２８】
また、前記昇降ユニット５０には、生体試料が注入されるプレート２と、前記プレート２を保持するためのプレートホルダ４と、前記プレート２を高速回転させる高速回転モータ５と、高速回転モータ５の回転をプレート２に伝達するための駆動軸３と、前記プレート２を低速回転させる低速回転モータ６と、低速回転モータ６の回転を高速回転モータ５の駆動軸３に伝える伝達機構のかさ歯車７とが備えられている。
【００２９】
また、前記低速回転モータ６は、支持部材によって該分析装置１００ａ内に備えられ、前記支持部材にはバネが設けられており、昇降ユニット５０が上昇し、低速回転モータ６が下方から持ち上げられた際に、前記支持部材に設けられたバネが縮んで低速回転モータ６は上方に移動することができる。
【００３０】
さらに、前記検出ユニット５１には、電気化学測定を行う際に用いられる電極８と、プレートシャフト９とが備えられている。前記電極８と、プレートシャフト９には、プレート２に対して適度なテンションを与えるバネが備えられ、前記バネによりプレート２がプレートホルダ４に押し付けられるように構成されている。
【００３１】
なお、本実施の形態１では、プレート２の下部にアクチュエータ１、高速回転モータ５、低速回転モータ６が配置され、さらに上部に検出ユニット５１が配置されており、プレート２を含む昇降ユニット５０が、アクチュエータ１によって上方または下方へ移動することで、低速回転モータ６の回転を高速回転モータ５の駆動軸３に伝える伝達機構であるかさ歯車７の接続、およびプレート２と、電極８との接続を行うことができる。
【００３２】
以上のように構成された本実施の形態１の生体試料分析装置１００ａの動作について、図１〜４を用いて説明する。
【００３３】
まず、プレート２に形成された流路（図示せず）の試料注入口に生体試料である血液を注入する。なお、本実施の形態においては、説明を具体的に行うため、生体試料が血液であるとするが、本生体試料分析装置の分析対象は、血液に限られるものではない。
【００３４】
次に、本装置１００ａの電源をＯＮ状態にし、プレート２を該装置１００ａ内のプレートホルダ４に装着する。この昇降ユニット５０が最下点の状態を第１段目とする。
【００３５】
図１は、本実施の形態１の昇降ユニット５０が第１段目の状態を示す。昇降ユニット５０は、アクチュエータ１によって、第１段目から、プレート２がプレートシャフト９に保持される第２段目の位置まで上昇する。
【００３６】
図２は、本実施の形態１の昇降ユニット５０が第２段目の状態であり、高速回転時の状態を示す。昇降ユニット５０が第２段目の状態において、高速回転モータ５は、駆動軸３を介して、プレート２を高速回転させる。
【００３７】
プレート２に形成された流路（図示せず）中の血液は、遠心力によって血球と、血清とに分離後、血清のみ定量化され、前記流路（図示せず）と、その一部を共通にする各チャンバー（図示せず）に送液される。各チャンバー（図示せず）内には試薬が乾燥担持されており、血清は前記試薬と化学反応しながら、最終チャンバー（図示せず）に送液される。
【００３８】
次に、昇降ユニット５０は、アクチュエータ１によって、前記第２段目の位置から、駆動軸３側のかさ歯車７と、低速回転モータ６側のかさ歯車７とが接続する、第３段目の位置まで上昇する。
【００３９】
図３は、本実施の形態１の昇降ユニット５０が第３段目の状態であり、低速回転時の状態を示す。
【００４０】
昇降ユニット５０は、第３段目の状態において、高速回転モータ５の駆動軸３側のかさ歯車７と、低速回転モータ６側のかさ歯車７とが接続し、低速回転モータ６の回転を高速回転モータ５の駆動軸３に伝え、プレート２を低速回転させる。このプレート２の低速回転により、プレート２と、電極８との位置合わせを行う。
【００４１】
次に、昇降ユニット５０は、アクチュエータ１によって、前記第３段目の位置から、プレート２と、電極８とが接続される第４段目の位置まで上昇し、高速回転モータ５の駆動軸３側のかさ歯車７と、低速回転モータ６側のかさ歯車７とは接続したままの状態で、低速回転モータ６の支持部材のバネが縮み、低速回転モータ６は上方に持ち上げられる。
【００４２】
図４は、本実施の形態１の昇降ユニット５０が第４段目の状態であり、電気化学測定時の状態を示す。
【００４３】
プレート２と、電極８とが接続すると、電極８により電圧を印加し、生体試料の電気化学測定を行うことができる。
【００４４】
また、前記低速回転モータ６は、電気化学測定時に、プレート２を停止させるブレーキとしての役割も果たすことができる。
【００４５】
以上のように、本実施の形態１の生体試料分析装置によれば、高速回転モータ、および低速回転モータの回転を、１本の駆動軸でプレートに伝達させ、高速回転時、低速回転時、電気化学測定時のそれぞれの状態に応じて、昇降ユニットが上方または下方に移動し、低速回転時には、低速回転モータは、その動力を高速回転モータの駆動軸に伝える伝達機構であるかさ歯車と、高速回転モータの駆動軸とを介して、プレートを低速回転させ、高速回転時には、低速回転モータの駆動軸と、高速回転モータの駆動軸とが接続されない構成としたため、プレートと、電極との位置合わせを行う際の駆動軸のズレによる誤差を抑えられ、プレートと、電極とを精度良く接続し、生体試料の正確な分析結果を得ることができ、また、プレートの高速回転時に誤って低速回転モータが駆動した際にも、低速回転が駆動軸に伝達することはなく、プレート回転の誤動作を防止することができる。
【００４６】
（実施の形態２）
図５は、本実施の形態２における生体試料分析装置１００ｂの構成図である。
なお、図５に示す、本実施の形態２の生体試料分析装置１００ｂにおいて、前記実施の形態１の生体試料分析装置１００ａと同じ構成部分には同じ符号を用い、その説明を省略する。
【００４７】
まず、本実施の形態２の構成について、前記実施の形態１と異なる点は、前記実施の形態１では、低速回転モータ６の回転を、高速回転モータ５の駆動軸３に伝えるための伝達機構に、かさ歯車７を用いているが、本実施の形態２では、図５に示すように、前記伝達機構にフランジ付カラー１０を用いた構成となっている。
【００４８】
すなわち、低速回転モータ６の回転は、フランジ付カラー１０を介して、高速回転モータ５の駆動軸３に伝わり、プレート２を低速回転させるものである。
【００４９】
また、前記伝達機構のフランジ付カラー１０は、低速回転モータ６側、あるいは高速回転モータ５の駆動軸３側のいずれか一方をゴム材料、他方を金属材料または樹脂材料を用いたものとしてもよい。
【００５０】
次に、本実施の形態２の動作について、前記実施の形態１と異なる点を説明する。
昇降ユニット５０が第３段目および４段目の状態、すなわち低速回転時および電気化学測定時、において、前記実施の形態１では、伝達機構であるかさ歯車７によって、低速回転モータ６の駆動軸と、高速回転モータ５の駆動軸３とが接続されているが、本実施の形態２では、伝達機構であるフランジ付カラー１０によって、低速回転モータ６の駆動軸と、高速回転モータ５の駆動軸３とが接続されている。
【００５１】
よって、昇降ユニット５０が前記第３段目の状態、すなわち低速回転時、にあるとき、低速回転モータ６は、前記伝達機構のフランジ付カラー１０を介して、高速回転モータ５の駆動軸３に回転を伝え、プレート２を低速回転させ、プレート２と、電極８との位置合わせを行うことができる。
【００５２】
また、昇降ユニット５０が前記第４段目の状態、すなわち電気化学測定時、にあるとき、前記低速回転モータ６は、伝達機構のフランジ付カラー１０と、高速回転モータ５の駆動軸３を介して、プレート２を停止させるブレーキとしての役割も果たすことができる。
【００５３】
以上のように、本実施の形態２の生体試料分析装置によれば、伝達機構はフランジ付カラーであり、低速回転モータは、その駆動軸が高速回転モータの駆動軸と垂直に設けられ、昇降ユニットが上方または下方への移動をしたのちに、前記低速回転モータの駆動軸と、前記高速回転モータの駆動軸とが前記フランジ付カラーにより接続されるようにしたので、回転によるガタを軽減し、プレートと、電極との、より精度の高い位置合わせを行うことができ、生体試料の正確な分析結果を得ることができる。
【００５４】
（実施の形態３）
図６は、本実施の形態３における生体試料分析装置１００ｃの構成図である。
なお、図６に示す、本実施の形態３の生体試料分析装置１００ｃにおいて、前記実施の形態１の生体試料分析装置１００ａと同じ構成部分には同じ符号を用い、その説明を省略する。
【００５５】
まず、本実施の形態３と、前記実施の形態１との異なる構成部分について説明する。
前記実施の形態１では、低速回転モータ６の回転を高速回転モータ５の駆動軸３に伝える伝達機構にかさ歯車７を用いているが、本実施の形態３では、図６に示すように、前記伝達機構に平歯車１１を用いている。
【００５６】
すなわち、低速回転モータ６の回転は、平歯車１１を介して、高速回転モータ５の駆動軸３に伝わり、プレート２を低速回転させるものである。
【００５７】
また、前記実施の形態１では、低速回転モータ６は、その駆動軸が高速回転モータ５の駆動軸３と垂直に、バネを設けた支持部材によって、分析装置１００ａ内に備えられているが、本実施の形態３では、図６に示すように、低速回転モータ６は、その駆動軸が高速回転モータ５の駆動軸３と平行に、支持部材によって、分析装置１００ｃ内に備えられている。
【００５８】
次に、本実施の形態３の動作について、図６〜９を用いて説明する。
図６は、昇降ユニット５０が第１段目である最下点の状態を示す。
まず、プレート２に形成された流路（図示せず）の試料注入口に生体試料である血液を注入する。次に、本分析装置１００ｃの電源をＯＮ状態にし、プレート２を該装置１００ｃ内のプレートホルダ４に装着する。
【００５９】
図７は、昇降ユニット５０が第２段目の状態であり、高速回転時の状態を示す。昇降ユニット５０は、アクチュエータ１によって、プレート２がプレートシャフト９に保持される位置まで上昇している。
【００６０】
昇降ユニット５０が第２段目の状態において、高速回転モータ５は、その駆動軸３を介して、プレート２を高速回転させる。
【００６１】
プレート２に形成された流路（図示せず）中の血液は、遠心力によって血球と血清に分離後、血清のみ定量化され、前記流路（図示せず）と、その一部を共通にする各チャンバー（図示せず）に送液される。各チャンバー（図示せず）内には試薬が乾燥担持されており、血清は前記試薬と化学反応しながら、最終チャンバー（図示せず）に送液される。
【００６２】
図８は、昇降ユニット５０が第３段目の状態であり、低速回転時の状態を示す。昇降ユニット５０は、アクチュエータ１によって、低速回転モータ６側の平歯車１１と、高速回転モータ５の駆動軸３側の平歯車１１とが接続する位置まで上昇している。
【００６３】
昇降ユニット５０が第３段目の状態において、低速回転モータ６側の平歯車１１と、高速回転モータ５の駆動軸３側の平歯車１１とが接続し、低速回転モータ６の回転を高速回転モータ５の駆動軸３に伝え、プレート２を低速回転させる。このプレート２の低速回転により、プレート２と、電極８との位置合わせを行う。
【００６４】
図９は、昇降ユニット５０が第４段目の状態であり、電気化学測定時の状態を示す。昇降ユニット５０は、アクチュエータ１によって、プレート２と、電極８とが接続する位置まで上昇している。
【００６５】
プレート２と、電極８とが接続することにより、電極８により電圧を印加し、生体試料の電気化学測定を行うことができる。
【００６６】
また、本実施の形態４では、前記実施の形態１と異なり、昇降ユニット５０が第４段目の状態、すなわち電気化学測定時、において、図９に示すように、低速回転モータ６側の平歯車１１と、高速回転モータ５の駆動軸３側の平歯車１１とは接続されておらず、低速回転モータ６の回転が高速回転モータ５の駆動軸３を介して、プレート２に伝わることはない。
【００６７】
以上のように、本実施の形態３の生体試料分析装置によれば、伝達機構は平歯車であり、低速回転モータは、その駆動軸が高速回転モータの駆動軸と平行に設けられ、昇降ユニットが上方または下方への移動をしたのちに、前記昇降ユニットの高さが、前記低速回転モータの低速回転位置にあるときのみ、前記低速回転モータの駆動軸と、前記高速回転モータの駆動軸とが前記平歯車により接続されるようにしたので、高速回転時および電気化学測定時に、誤って低速回転モータが駆動してしまった際にも、高速回転モータの駆動軸に回転が伝達することはなく、プレート回転の誤作動を防止することができ、生体試料の正確な分析結果を得ることができる。
【産業上の利用可能性】
【００６８】
本発明の生体試料分析装置は、血液等の生体試料の分析を行う際に、プレートと、該分析装置の電極との精度良い位置合わせを可能とし、正確な分析結果を得られる点で有用である。
【図面の簡単な説明】
【００６９】
【図１】本実施の形態１による生体試料分析装置の昇降ユニットが第１段目にある状態の構成図である。
【図２】本実施の形態１による生体試料分析装置の昇降ユニットが第２段目にある状態の構成図である。
【図３】本実施の形態１による生体試料分析装置の昇降ユニットが第３段目にある状態の構成図である。
【図４】本実施の形態１による生体試料分析装置の昇降ユニットが第４段目にある状態の構成図である。
【図５】本実施の形態２による生体試料分析装置の構成図である。
【図６】本実施の形態３による生体試料分析装置の昇降ユニットが第１段目にある状態の構成図である。
【図７】本実施の形態３による生体試料分析装置の昇降ユニットが第２段目にある状態の構成図である。
【図８】本実施の形態３による生体試料分析装置の昇降ユニットが第３段目にある状態の構成図である。
【図９】本実施の形態３による生体試料分析装置の昇降ユニットが第４段目にある状態の構成図である。
【図１０】従来のＳＮＰｓ解析装置の構成図である。
【符号の説明】
【００７０】
１  アクチュエータ
２  プレート
３  駆動軸
４  プレートホルダ
５  高速回転モータ
６  低速回転モータ
７  かさ歯車
８  電極
９  プレートシャフト
１０  フランジ付カラー
１１  平歯車
１２  上下動モータ
１３  光学検出部
１４  加圧ポンプ
１５  天井板
５０  昇降ユニット
５１  検出ユニット
５２  制御基板
５３  温度制御ユニット
５４  充填ユニット
１００ａ，１００ｂ，１００ｃ  生体試料分析装置
１０１  ＳＮＰｓ解析装置
【図１】
2008209263.tif 000003
【図２】
2008209263.tif 000004
【図３】
2008209263.tif 000005
【図４】
2008209263.tif 000006
【図５】
2008209263.tif 000007
【図６】
2008209263.tif 000008
【図７】
2008209263.tif 000009
【図８】
2008209263.tif 000010
【図９】
2008209263.tif 000011
【図１０】
2008209263.tif 000012